(57)【要約】【課題】各インターコムの間において、室内電力線で電力キャリアモジュールによって変調された信号を受信／伝送でき、室内電力線で信号データの双方向伝送を実現できる電力周波数キャリア付きのインターコムを提供する。【解決手段】ワンチップ制御モジュールと電力キャリアモジュールと外部入出力モジュールとが一つ以上のインターコムと、上記ワンチップ制御モジュールに連接され、上記インターコムの作動状態を表示する信号指示装置と、上記各インターコムの外部入出力モジュールに連接され、電力周波数キャリアを供給する室内電力線と、が含有される。【選択図】図１
0003127298.tif 000002
【実用新案登録請求の範囲】
【請求項１】
ワンチップ制御モジュールと電力キャリアモジュールと外部入出力モジュールとが一つ以上のインターコムと、
上記ワンチップ制御モジュールに連接され、上記インターコムの作動状態を表示する信号指示装置と、
上記各インターコムの外部入出力モジュールに連接され、電力周波数キャリアを供給する室内電力線と、
が含有される、
ことを特徴とする電力周波数キャリア付きインターコム。
【請求項２】
当該ワンチップ制御モジュールが、入力受信ユニットと出力制御ユニット、制御ユニット、通信インターフェース及びリレーから構成されることを特徴とする請求項１に記載の電力周波数キャリア付きインターコム。
【請求項３】
当該制御ユニットが８０５１のワンチップであることを特徴とする請求項２に記載の電力周波数キャリア付きインターコム。
【考案の詳細な説明】
【技術分野】
【０００１】
本考案は、電力周波数キャリア付きインターコムに関し、特に、室内電力線を介して信号データの双方向伝送を実現するものに関する。
【背景技術】
【０００２】
従来のインターコムは、中華民国專利公報公告第４６５２０７号「ネットワーク式インターコム」（図５を参照しながら）のように、主として、インターコムの内部にあるシステム制御ユニット６を中心とし、また、データバスにより、イメージユニット６０と音声ユニット６１及びセキュリティユニット６２等のハードウェアを連接し、また、当該システム制御ユニット６に、各種類のディジタル信号に対してディジタルパケットを行えるイーサネット（登録商標）制御器６３が連接され、当該パケットデータを外部のイーサネット（登録商標）６４の単一ネットワーク線により双方向伝送を行い、また、他のディジタル情報を伝送でき、そして、例えば、当該システム制御ユニット６によって、ディジタルイメージ信号やディジタル音声信号及びディジタルセキュリティ信号等について、運算や一時記憶或いは入出力を処理することができ、また、ハードウェアに対応するイメージ機能や音声機能及びセキュリティ設定警報機能等の機能が実現される。
【０００３】
上記の「ネットワーク式インターコム」は、ディジタルイメージ信号やディジタル音声信号或いはディジタルセキュリティ信号等について、運算や一時記憶或いは入出力を処理でき、また、ハードウェアに対応するイメージ機能や音声機能及びセキュリティ設定警報機能等の機能が実現されるが、全体構造としてはネットワークとサーバーによって伝送されるため、実装時の工程が複雑になり、メンテナンスも簡単ではなく、また、ネットワークとサーバーを介しないと利用できないため、ブレークダウンやウイルス感染を招致する恐れがある。
【特許文献１】中華民国專利公報公告第４６５２０７号
【考案の開示】
【考案が解決しようとする課題】
【０００４】
本考案の主な目的は、従来技術の実装やメンテナンスが簡単ではない問題を解決できるインターコムを提供し、外部入出力モジュールで室内電力線から信号を受信し、当該信号が電力キャリアモジュールに入力されて信号変調された後、ワンチップ制御モジュールにより伝送モードを検知して設定し、また、当該電力キャリアモジュールにより、制御命令を当該外部入出力モジュールに伝送し、また、当該室内電力線によって伝送されることにより、各インターコムの間に信号データの双方向伝送が実現される。
【課題を解決するための手段】
【０００５】
請求項１の考案は、ワンチップ制御モジュールと電力キャリアモジュールと外部入出力モジュールとが一つ以上のインターコムと、上記のワンチップ制御モジュールに連接され、上記インターコムの作動状態を表示する信号指示装置と、上記各インターコムの外部入出力モジュールに連接され、電力周波数キャリアを供給する室内電力線と、が含有される、ことを特徴とする電力周波数キャリア付きのインターコムである。
【０００６】
請求項２の考案は、当該ワンチップ制御モジュールが、入力受信ユニットと出力制御ユニット、制御ユニット、通信インターフェース及びリレーから構成されることを特徴とする請求項１に記載の電力周波数キャリア付きのインターコムである。
【０００７】
請求項３の考案は、当該制御ユニットが８０５１のワンチップであることを特徴とする請求項２に記載の電力周波数キャリア付きインターコムである。
【考案を実施するための最良の形態】
【０００８】
図１と２は、本考案の立体外観概念図と本考案のブロック概念図である。本考案は、図のように、電力周波数キャリア付きのインターコムであり、一つ以上のインターコム１と信号指示装置２と室内電力線３から構成され、各インターコム１は、室内電力線３を介して信号データの双方向伝送が実現される。
【０００９】
上記各インターコム１は、ワンチップ制御モジュール１１と伝送速度が１２００ＢＰＳである電力キャリアモジュール１２と外部入出力モジュール１３とが含有され、当該ワンチップ制御モジュール１１は、入力受信ユニット１１１と出力制御ユニット１１２、制御ユニット１１３、通信インターフェース１１４及びリレー１１５から構成され、当該制御ユニット１１３は優れた内部構造を有する８０５１ワンチップである処理ユニットで、作動周波数が１６ＭＨｚであり、４Ｋである消去可能プログラマブルＲＯＭ（Ｅｌｅｃｔｒｏｎｉｃ  Ｐｒｏｇｒａｍ  Ｒｅａｄ  Ｏｎｌｙ  Ｍｅｍｏｒｙ、ＥＰＲＯＭ）があり、また、８組の入力端と８組の出力端を提供し、当該ワンチップ制御モジュール１１の安全作動を確保と制御するため、当該出力端において、それぞれ当該リレー１１５により回路を隔離する。当該８０５１ワンチップの内部に１組の全二重である通信インターフェース１１４が含有され、当該通信インターフェース１１４はＲＳ２３２インターフェースで同時に外部からのデータを伝送と受信でき、その作動信号が、全てＴＴＬレベル（論理０が０Ｖ、論理１が＋５Ｖ）である、当該通信インターフェース１１４はシリアル通信で一連のビット型式によりデータを伝送や受信し、これにより、制御器（例えば、ディジタル式キャリヤー或いは自動測定器）や設備或いはコンピュータの間にコネクションを、容易に確立する。
【００１０】
当該信号指示装置２は上記のワンチップ制御モジュール１１に連接され、上記インターコム１の作動状態を表示し、また、当該信号指示装置２は音声ユニット或いは音声ユニットとスクリーンとの組合わせである。
【００１１】
当該室内電力線３は上記各インターコム１の外部入出力モジュール１３に連接され、電力周波数キャリアを供給し、当該室内電力線３は一般の室内電源である。上記構造により、新規の電力周波数キャリア付きのインターコムを提供できる。
【００１２】
図３は、本考案の使用状態概念図である。図のように、本考案によれば、室内電力線３を有する同一の建物内に、複数のインターコム１を設置し、世帯同士にコネクションを確立でき、ここで、同一建物内において二つの世帯のインターコム１、１ａを使用するときを例とし、その一つの世帯がインターコム１でもう一つの世帯を呼び出す時、当該信号は当該外部入出力モジュール１３により、当該ワンチップ制御モジュール１１の入力受信ユニット１１１から当該室内電力線３に入力された後、当該制御ユニット１１３を駆動してシリアル伝送モードと速度を設定開始し、また、当該入力受信ユニット１１１の入力点状態を検知し、また、当該出力制御ユニット１１２に対して、制御命令を実行し、そして、当該出力制御ユニット１１２によって制御命令を伝送し、当該制御ユニット１１３により伝送モードと伝送速度を設定し、また、当該信号指示装置２により作動状態が表示され、そして、当該電力キャリアモジュール１２によって変調された後、当該外部入出力モジュール１３に伝送されて出力され、また、当該室内電力線３によって伝送されてもう一つのインターコム１ａの外部入出力モジュール１３ａによって受信され、当該信号が受信された後、当該インターコム１ａの電力キャリアモジュール１２ａに入力されて信号変調され、当該信号は信号変調されてから伝送され、そして、当該ワンチップ制御モジュール１１ａの入力受信ユニット１１１ａによって受信し、また、当該信号指示装置２ａにより作動状態を表示し、これにより、インターコム１、１ａは通信インターフェース１１４、１１４ａを介して対話できて、室内電力線３で信号データの双方向伝送が実現される。
【００１３】
図４は、本考案の他の使用状態概念図である。本考案によれば、図のように、建物４に適用される時、室内電力線３の出力／入力端にフィルター５が設置され、当該フィルター５により電力周波数キャリアを濾過することにより、電力周波数キャリアの信号が室内電力線３を介して他の建物４ａの室内電力線３に伝送されることを防止でき、また、二つの建物４、４ａが互いにその電力周波数キャリアの信号を伝送用として利用する場合、当該フィルター５を取り除けば良い。
【００１４】
以上の説明のように、本考案に係わる電力周波数キャリア付きのインターコムによれば、有効に、従来の様々の欠点を改善でき、各インターコムの間において、室内電力線で電力キャリアモジュールによって変調された信号を受信／伝送でき、室内電力線で信号データの双方向伝送を実現できるため、本考案は、より進歩的且つより実用的であるから、法に従って実用新案登録請求を出願する。
【００１５】
以上は、ただ、本考案のより良い実施例であり、本考案はそれによって制限されず、本考案に係わる実用新案登録請求や明細書の内容に従って行う等価の変更や修正は、全てが本考案の実用新案登録請求の範囲内に含まれる。
【図面の簡単な説明】
【００１６】
【図１】本考案の立体外観概念図
【図２】本考案のブロック概念図
【図３】本考案の使用状態概念図
【図４】本考案の他の使用状態概念図
【図５】従来のシステム構造概念図
【符号の説明】
【００１７】
（本考案部分）
１、１ａ                 インターコム
１１、１１ａ       ワンチップ制御モジュール
１２、１２ａ       電力キャリアモジュール
１３、１３ａ       外部入出力モジュール
１１１、１１１ａ         入力受信ユニット
１１２、１１２ａ         出力制御ユニット
１１３、１１３ａ         制御ユニット
１１４、１１４ａ         通信インターフェース
１１５、１１５ａ         リレー
２、２ａ                 信号指示装置
３                       室内電力線
４、４ａ                建物
５                       フィルター
（従来部分）
６                       システム制御ユニット
６０                     イメージユニット
６１                     音声ユニット
６２                     セキュリティユニット
６３                     イーサネット（登録商標）制御器
６４                     イーサネット（登録商標）
【図１】
0003127298.tif 000003
【図２】
0003127298.tif 000004
【図３】
0003127298.tif 000005
【図４】
0003127298.tif 000006
【図５】
0003127298.tif 000007